(57)【要約】【課題】  本発明は、新しい構造の携帯電話機を提供することを目的とする。【解決手段】  本発明の携帯電話機は、下部筐体と、前記下部筐体に支持された一対のアームと、表示部を有する上部筐体とを備え、前記一対のアームと前記上部筐体とは、前記一対のアームそれぞれの一点を結ぶ線を軸線として、上部筐体が回動可能に連結され、その連結部分は、回動体１９１とその回動角の範囲を制限するストッパー１９８とを有する。【選択図】          図７
2005303926.tif 000002
【特許請求の範囲】
【請求項１】
下部筐体と、
前記下部筐体に支持された一対のアームと、
表示部を有する上部筐体とを備え、
前記一対のアームと前記上部筐体とは、
前記一対のアームの先端側を結ぶ線を軸線として、回動可能に連結され、
その回動可能な連結部分は、前記アーム及び前記上部筐体のうちの一方には、被当接部材が固着され、他方には、前記被当接部材に当接して回動角の範囲を制限する当接部材が固着されている
ことを特徴とする携帯電話機。
【請求項２】
前記連結部分において、
前記アームと前記上部筐体とのうちの一方には凹部が、他方には凸部が設けられ、
前記凹部と前記凸部とは、前記当接部材と前記被当接部材とが当接するときに、互いに嵌合する
ことを特徴とする請求項１に記載の携帯電話機。
【請求項３】
前記一対のアームの基端側は、下部筐体の一端で軸支されている
ことを特徴とする請求項２に記載の携帯電話機。
【請求項４】
前記下部筐体の軸側端部と上部筐体の一端部とのうちの一方には凹部が、他方には凸部が設けられ、
前記凹部と前記凸部とは、前記当接部材と前記被当接部材とが当接するときに、互いに嵌合する
ことを特徴とする請求項３に記載の携帯電話機。
【請求項５】
前記下部筐体は、前面にキーを備え、
前記下部筐体と前記上部筐体とは、折り畳み状態のときに前記キーが前記上部筐体によって覆い隠されない位置関係で重なり合う
ことを特徴とする請求項１から４のいずれかに記載の携帯電話機。
【発明の詳細な説明】
【技術分野】
【０００１】
本発明は、表示部側筐体と操作部側筐体とを折り畳み可能に連結した携帯電話機の構造に関する。
【背景技術】
【０００２】
近年、携帯電話機は、ストレート形や折り畳み式の形状の他、リボルバー式のものが普及している。
リボルバー式の携帯電話機は、操作面を有する下部筐体と、液晶表示面を有する上部筐体とからなり、携帯電話機を閉じた状態においては、下部筐体と上部筐体とが、操作面及び表示面を操作者側に向けて重なり合う。下部筐体と上部筐体は、操作面及び表示面に対して略垂直方向の軸線のヒンジによって軸支されており、下部筐体に対して上部筐体を軸周りに回動させれば、その表示面を操作者側に向けたままで携帯電話機を開いた状態にすることができる（例えば、特許文献１参照）。
【０００３】
ところがこのリボルバー式の携帯電話機は、表示面が常に表向きとなっているためにキズが付きやすく、また、表示面が回転されるのに応じて、表示される画像の向きを変更しなければならないといった余分な処理が必要となる。
そこでこれらの問題を解消する携帯電話機が、特許文献２に開示されている。
特許文献２の携帯電話機は、文献中の図１に示すように、主に、操作面を有する下部筐体と、表示面を有する上部筐体と、略Ｕ字状に湾曲した管形の支持体とから成る。
【０００４】
上部筐体の両側面に支持体の両端部が配され、上部筐体は、両端部の先端に設けられた回転軸により回動可能に支持される。
支持体の中央部分と下部筐体の操作面の上辺部分とは、当該上辺部分を軸線とするヒンジにより連結され、この連結により支持体の両端部は揺動可能となる。この両端部の揺動によって、携帯電話機を閉じた状態においては、上部筐体と下部筐体とは、上部筐体の表示面と下部筐体の操作面とを対面させた状態で、あるいは、上部筐体の背面と下部筐体の操作面とを対面させた状態で、重なり合う。
【０００５】
このような形状により、引用文献２の携帯電話機は、表示面と操作面と対面させて、上部筐体と下部筐体とを折り畳むことができるので、表示面を保護することができ、また上部筐体が支持体先端部の支軸回りに回転するので、操作者側からみた表示面の向きは常に一定となり、画像の向きを回転させる必要がない。
【特許文献１】意匠登録第１１７５４６９号公報
【特許文献２】特開２００２−３４４５９１号公報
【発明の開示】
【発明が解決しようとする課題】
【０００６】
ところで、特許文献２の携帯電話機においては、上部筐体、支持体及びそれらの連結部分の内部に信号線が挿通されるので、連結部分の回転角が大きくなると、信号線が損傷を受けるという問題がある。
そこで本発明は、上記問題に対して手立てを講じた携帯電話機を提供することを目的とする。
【課題を解決するための手段】
【０００７】
上記目的を達成する携帯電話機は、下部筐体と、前記下部筐体に支持された一対のアームと、表示部を有する上部筐体とを備え、前記一対のアームと前記上部筐体とは、前記一対のアームの先端側を結ぶ線を軸線として、回動可能に連結され、その回動可能な連結部分は、前記アーム及び前記上部筐体のうちの一方には、被当接部材が固着され、他方には、前記被当接部材に当接して回動角の範囲を制限する当接部材が固着されていることを特徴とする。
【発明の効果】
【０００８】
この構成によれば、アームと上部筐体との回動可能な連結部分は、当接部材が被当接部材に当接することにより、回動角の範囲が制限される。通常、上部筐体の表示部を制御する回路や電源を供給する電池は、下部筐体に配される。よって下部筐体内部の回路や電池に接続された回線は、下部筐体とアームとの連結部分、アーム内部、アームと上部筐体との連結部分を連通して上部筐体の表示部に接続される。この場合において、アームと上部筐体との連結部分は、回動角の範囲が制限されているので、回線が捩れにより損傷したり切れたりするのを抑えることができる。
【０００９】
また、前記連結部分において、前記アームと前記上部筐体とのうちの一方には凹部が、他方には凸部が設けられ、前記凹部と前記凸部とは、前記当接部材と前記被当接部材とが当接するときに、互いに嵌合する構成とされてもよい。
この構成により、嵌合した瞬間の振動や音が操作者に伝わって、その操作感覚により、操作者は、アームと上部筐体との位置関係が所定位置に来たことを知ることができる。
【００１０】
また、前記一対のアームの基端側は、下部筐体の一端で軸支するよう構成してもよい。
この構成により携帯電話機は、下部筐体とアームとの成す角度を変更することができ、下部筐体と上部筐体の各面を合わせるように折り畳むことができる。
さらに、前記下部筐体の軸側端部と上部筐体の一端部とのうちの一方には凹部が、他方には凸部が設けられ、前記凹部と前記凸部とは、前記当接部材と前記被当接部材とが当接するときに、互いに嵌合するよう構成してもよい。
【００１１】
この構成により嵌合した瞬間の動や音が操作者に伝わって、その操作感覚により、操作者は、下部筐体の軸側端部と上部筐体との位置関係が所定位置に来たことを知ることができる。
さらに、前記下部筐体は、前面にキーを備え、前記下部筐体と前記上部筐体とは、折り畳み状態のときに前記キーが前記上部筐体によって覆い隠されない位置関係で重なり合うよう構成してもよい。
【００１２】
この構成により、下部筐体と上部筐体とが折り畳まれて重なる状態にあるとき、下部筐体のキーが上部筐体により隠されることがないので、折り畳み状態にあるときでもキーを操作することができる。
【発明を実施するための最良の形態】
【００１３】
以下、本発明の実施形態について図面を用いて説明する。
（実施形態１）
図１（ａ）（ｂ）（ｃ）は、実施形態１の携帯電話機の外観図を示す。
図１（ａ）において、携帯電話機１００は、主に、上部筐体１１と下部筐体１２と、それら２つを連結する一対のアーム１３、１４から構成される。
【００１４】
上部筐体１１は、角に丸みを帯びた矩形板状の形状をなし、前面１１０の中央にディスプレイ表示面１１２が露呈し、その上方にはスピーカ１１１が配置されている。
下部筐体１２は、ほぼ矩形板状の前面１２０にダイヤルキー等の第１キー部１２１、マイクロフォン１２２、方向キーや決定キー等を含む第２キー部１２３が配置されている。また、上辺には、軸部１７が設けられ、その軸部１７の両端には、アーム１３、１４の一端が、ヒンジ１５、１６によって回動可能に連結されている。
【００１５】
アーム１３、１４の他端には、上部筐体１１との連結部分１８、１９があり、この連結部分１８と１９とを結ぶ線を軸線として、上部筐体が回動可能に連結されている。
図１（ｂ）は、図１（ａ）の状態から、アーム１３及び１４を軸部１７の軸線回りに回動させて、下部筐体１２の前面１２０と上部筐体１１の前面１１０とが向かい合うよう折り畳んだ状態を示す。
【００１６】
折り畳むことによって、上部筐体１１の前面１１０が内側に隠れ、背面１１３が外側に現れた状態になる。背面１１３の中央には、サブディスプレイ表示面１１３１が露呈している。
図１（ｃ）は、図１（ａ）の状態から、上部筐体１１を連結部分１８、１９の軸線回りに１８０度回動させ、さらに、軸部１７、アーム１３、１４を回動させて、下部筐体１２の前面１２０と上部筐体１１の背面１１３とが向かい合うように折り畳んだ状態を示す。
【００１７】
上部筐体１１の裏表を返してから折り畳むことによって、前面１１０が現れた状態になる。
第２キー部１２３が配された部分は、図１（ｂ）、（ｃ）のように折り畳んだ状態のときに、上部筐体１１によって隠されることがないよう、下部筐体１２の長手方向の長さが、上部筐体１１の長手方向の長さよりも、長く形成されている。また第２キー部１２３が配された部分の面は、第１キー部１２１及びマイクロフォン１２２の配された部分の面よりも、突出している。この突出している部分の面は、図１（ｂ）、（ｃ）のような折り畳み状態のときに表面に現れる上部筐体１１の前面１１０又は背面１１３と、略同一面となるように形成されている。このように形成されていることにより、折り畳んだ状態では、第２キー部１２３を使用したキー操作が可能となっている。例えば、前面１１０を表側に向けた折り畳み状態においては、第２キー部１２３に含まれる方向キーを使ってディスプレイ１１２に表示される階層メニューを辿り、決定キーを使って１つのメニュー項目を選択する操作が可能である。この操作により、具体的には、電話帳のリストを表示させて、その中から電話をかける相手を選択して発信する操作や、受信したメールの内容を確認する操作等も可能である。また、背面１１３を表側に向けた折り畳み状態においても、第２キー部１２３を使って、サブディスプレイ１１３１に表示される日付や時刻等を調整する操作が可能である。さらに、サブディスプレイ１１３１に受信したメールの内容を表示させるよう構成している場合、長いメール本文を、第２キー部１２３の方向キーを使って、スクロール表示させることもできる。
【００１８】
図２（ａ）〜（ｅ）は、携帯電話機１００を左側面から見た外観図であり、上述の回動の様子を示す。
図２（ａ）は、図１（ｃ）に対応する左側面図である。
この状態において、ヒンジ１５、１６で軸支されたアーム１３、１４、及び軸部１７を反時計回りに回動させると、アーム１３、１４に軸支された上部筐体１１も連動し、図２（ｂ）のように、下部筐体１２と上部筐体１１の長手方向の成す角が約１６０度となったところで回動が止まり、携帯電話機１００が開かれた状態となる。次に、図２（ｃ）のように、上部筐体１１を連結部分１８、１９で反時計回りに回動させる。回動させながら図２（ｄ）のようにヒンジ１５、１６及び軸部１７を時計回りに約１６０度回動させると、図２（ｅ）のように閉じた状態となり、図１（ｂ）に対応する左側面図となる。
【００１９】
では次に、図３〜図８を用いて連結部分１８、１９について説明する。
図３は、上部筐体１１とアーム１３、１４との連結部分１８、１９を概略的に示す分解斜視図である。
連結部分１９は、主に、片板１９１とアーム１４の端部に形成された凹み部分１９０から成る。
【００２０】
片板１９１は、小径な円筒状の部分と大径な扇状の部分とが合体した形状を成している。円筒状の部分にある穴１９３と、上部筐体１１の側面１１４の中央に設けられた穴１１９とが連通するように、片板１９１の面１９４は、側面１１４の破線部分１１４ｂに固着される。
凹み部分１９０は、円柱状をし、その深さは、片板１９１の厚みと略一致し、凹み部分の底径は、片板１９１がちょうど嵌り込む大きさとなっている。
【００２１】
凹み部分１９０の底面１９６の中央には、小径の穴１９７が設けられ、凹み部分１９０に片板１９１が嵌め込まれると、底面１９６と片板１９１の面１９５とが当接し、穴１９７と穴１９３とが連通する。一方の穴１９７はアーム１４の中空内部１４１に通じている。穴１９７、１９３、１１９は、下部筐体１２の内部に設けられた回路基板からの信号線を、アーム１４の中空内部１４１、穴１９７、１９３、１１９を通じて上部筐体１１内部のディスプレイ用の回路基板に接続するための通路となっている。
【００２２】
連結部分１８も連結部分１９と同様の構造となっている。
なお、下部１１５及び上部１１６の中央に設けられた凹部１１７、１１８については、図９以降にて説明する。
図４（ａ）〜（ｃ）は、片板１９１の詳細図を示す。
図４（ａ）は、図３の片板１９１を裏側から見た斜視図である。
【００２３】
図４（ａ）において、片板１９１は、面１９５から、ボールプランジャ１９１ａ及び１９１ｂのボールが突出している。図から理解されるように、、ボールプランジャ１９１ａ及び１９１ｂは、同図（ｂ）（ｃ）に示すように片板１９１に埋設されている。
図５（ａ）（ｂ）は、凹み部分１９０の詳細図を示す。
図５（ａ）において、凹み部分１９０の内周面に、片板１９１の回動を所定の角度で止めるためのストッパー１９８が突設されている。またストッパー１９８の近傍の底面１９６の部位には、ボールプランジャ１９１ａ及び１９１ｂと嵌合するための凹部１９９ａ及び１９９ｂが設けられている。
【００２４】
図５（ｂ）は、図５（ａ）のＡＡ線で切断した下側部分の断面を示す。
同図（ｂ）に示すように、穴１９７はアーム１４の中空内部１４１につながっている。
図６は、アーム１３、１４と上部筐体１１の断面図を示す。
同図に示すように、上部筐体１１に固着された片板１９１が凹み部分１９０に嵌り込み、穴１１９、１９３、１９７が相互に連通して、アーム１４の中空内部１４１から上部筐体１１の内部への通路を形成している。
【００２５】
図７（ａ）〜（ｃ）は、連結部分１９を、片板１９１の面１９４側から見た図で、回動途中の様子を示す。
図７（ａ）は、アーム１３、１４と上部筐体１１との位置関係が図２（ａ）及び（ｂ）のときの連結部分１９の状態を示す。
図７（ａ）に示すように、ストッパー１９８は、その片側側面１９８１が、片板１９１の扇状の部分の一辺を含む面１９１１と当接しており、片板１９１がそれ以上時計回りに回転しないように規制している。
【００２６】
この状態において、凹部１９９ｂとボールプランジャ１９１ｂの位置が合い、ボールプランジャ１９１ｂのボールと凹部１９９ｂとが嵌合している。一方、ボールプランジャ１９１ａのボールは、凹み部分１９０の底面１９６と接して、片板１９１に埋没した状態となっている。ここで片板１９１は、片板１９１の扇状の部分の中心角は１８０度より少し小さめの角度であり、片板１９１とストッパー１９８は、扇状の部分の中心角にストッパー１９８の幅分を足した合わせたときの角度が１８０と成るように成形されている。
【００２７】
図７（ｂ）は、図２（ｃ）及び（ｄ）のように、アーム１３、１４と上部筐体１１との位置関係が回転途中にある場合の連結部分１９の状態を示す。
片板１９１は、円筒部分を軸にして、図７（ａ）の状態から時計回りに回転したところである。ボールプランジャ１９１ｂは、凹部１９９ｂとの嵌合が外れている。
片板１９１が、図７（ａ）の状態から図７（ｂ）の状態を通って、反時計回りに１８０度回転したとき、連結部分１９は、図７（ｃ）の状態になる。上述のように、片板１９１とストッパー１９８は、扇状の部分の中心角にストッパー１９８の幅分を足した合わせたときの角度が１８０と成るように成形されているので、図７（ａ）の状態から図７（ｂ）の状態へと回転するときの回転角は１８０度となる。
【００２８】
図７（ｃ）に示すように、ストッパー１９８の他の片側側面１９８２が、片板１９１の扇状の部分の一辺を含む面１９１２と接しており、片板１９１が反時計回りに、それ以上に回転しないように規制している。
この状態において、凹部１９９ａとボールプランジャ１９１ａの位置が合って、ボールプランジャ１９１ａのボールが、凹部１９９ａと嵌合する。
【００２９】
このようにして、ストッパー１９８は、片板１９１の回転角を１８０度に制限する。また、凹部１９９ａ、ｂとボールプランジャ１９１ａ、ｂとは、回転角の０度のときに、凹部１９９ａとボールプランジャ１９１ａのボールとが嵌合し、又は回転各の１８０度のときに凹部１９１ｂとボールプランジャ１９１ｂのボールとが嵌合するような位置に、それぞれ設けられている。この嵌合によって、嵌合した瞬間の振動や音が使用者に伝わり、使用者は、上部筐体１１が、回転しきってこれ以上回転しない位置にあることを感知することができる。
【００３０】
図８は、図１（ａ）に対応する携帯電話機１００全体の断面図を示す。
図７（ａ）で説明したように、片板１９１のボールプランジャ１９１ｂと凹部１９９ｂとが嵌合し、ボールプランジャ１９１ａのボールは片板１９１内部に埋没している。下部筐体１２内部の回路基盤１２００の接続端子１２０１に接続された信号線は、穴１２４から軸部１７１を通じて軸部を通り、アーム１４の中空内部１４１、穴１９７、１９３、１１９を通って、ディスプレイの回路基盤１１２０の接続端子１１２２に接続される。アーム１３側も同様に、回路基盤１２００の接続端子１２０１からの信号線が、軸部１７、アーム１３の中空、片板１８１等の穴を通じて、ディスプレイの回路基盤１１２０の接続端子１１２１に接続される。
【００３１】
次に、上部筐体１１と軸部１７との嵌合部分について説明する。
図９（ａ）は、上部筐体１１と軸部１７との嵌合部分を示す図である。
図９（ａ）は、図１（ｃ）と同じ外観図を示し、図９（ｄ）は、図２（ｅ）と同じ外観図を示す。
図９（ａ）のＣＣ断面図を図９（ｂ）に示し、図９（ｄ）のＤＤ断面図を図９（ｃ）に示す。
【００３２】
同図（ｂ）（ｃ）において、凹部１１７及び１１８は、図３にも示したように、上部筐体１１の下部１１５及び上部１１６の中央に設けられた凹みである。軸部１７には、ボールプランジャ１７１が埋設され、軸部１７における、下部１１５又は上部１１６と接する面の中央に、ボールプランジャ１７１のボールが突出している。そして、上部筐体の下部１１５又は上部１１６と、軸部１７とが接するとき、すなわち、図２（ｃ）及び（ｄ）の状態ではなく、図２（ａ）（ｂ）及び（ｅ）の状態のとき、凹部１１７又は１１８に、ボールプランジャ１７１のボールが嵌合する。
【００３３】
なお、凹部１１７又は１１８とボールプランジャ１７１とに導通部材を設け、凹部１１７又は１１８とボールプランジャ１７１とが嵌合したことを導通により検出して上部筐体１１の向きを検出してもよい。
図１０は、図９（ｃ）Ａ部の詳細図を示す。
同図に示すように軸部１７の内側壁面に部材１７２が固着され、その部材１７２にボールプランジャ１７１が埋設されている。ボールプランジャ１７１のボールは、軸部１７に設けられた穴１７４から突出している。
【００３４】
図１１（ａ）〜（ｃ）は、図９（ｂ）のＢ部の詳細図を示し、凹部１１８とボールプランジャ１７１のボールとの嵌合の様子を示す。
図１１（ａ）において、ボールプランジャ１７１のボールと凹部１１８とは嵌合している状態にある。
上部筐体１１を開くように持ち上げると、図示しないアーム１３、１４も回動し、軸部１７も、図１１（ｂ）のように、凹部１１８とボールプランジャ１７１のボールとの嵌合を保ったまま回転する。
【００３５】
上部筐体１１を、アーム１３、１４との連結部分１８、１９の軸回りに回転させると、図１１（ｃ）に示すように、凹部１１８とボールプランジャ１７１のボールとの嵌合がはずれる。
このように、凹部１１７、１１８とボールプランジャ１７１とを設けていることによって、アーム１３、１４と上部筐体１１の長手方向とが平行な状態となったときに、凹部１１７又は１１８とボールプランジャ１７１のボールとが嵌合され、上部筐体１１の回転が止められるとともに、その嵌合した瞬間の振動や音が使用者に伝わり、使用者は、上部筐体１１が、前面から背面、または背面から前面に１８０度回転したことがわかる。
【００３６】
なお、本実施形態において、凹み部分１９０は、図１２のような構造にしてもよい。
図１２は、図５（ａ）に対して、穴１９７の部分に円筒状の部材１２０４が固着されている点と、ストッパー１２０２が、図５（ａ）のストッパー１９８に比べて凹み部分１９０の外周よりに短くなっている点が異なっている。
円筒状部材１２０４の直径は、片板１９１の穴１９３の直径よりもやや小さく、円筒状部材１２０４が穴１９３に差し込まれるようにして、凹み部分１９０と片板１９１とが嵌め合わされる。そしてこのとき、ストッパー１２０２と円筒状部材１２０４との間に、片板１９１の円筒状の部分の壁面が挟み込まれる。このような構造によって、片板１９１は、円筒状部材１２０４に支えられることにより、より安定して回動する。図１２のその他の構造は、図５と同じであり、ストッパー１２０２の当接によって、片板１９１の回動角が１８０度の範囲が１８０度に制限される。
【００３７】
さらに、凹み部分１９０の底面上において、片板１９１のボールプランジャ１９１のボールが接触する軌道に沿って溝を設け、ボールが溝に沿って移動するようにし、それによって片板１９１がスムーズに回動するようにしてもよい。
（実施形態２）
次に実施形態２の携帯電話機について説明する。
【００３８】
図１３は、実施形態２の携帯電話機の断面図を示す。
図１３の断面図は、図８の断面図に対して、連結部分１８及び１９の構造が異なっている。図８では、アームの凹み部分は片板に被さる形状を成していたのに対し、図１３では、アームの凹み部分が片板を包み込む形状を成している。
図１４は、図１３のＡ部詳細図を示し、図１５（ａ）（ｂ）は、片板２９１の斜視図を示す。
【００３９】
図１５（ａ）に示すように、片板２９１は、穴２９３の部分の円筒状の部材と扇状の部材とが合体した形状を成し、扇状の部材の厚みよりも、円筒状の部材の方が、背面２９５側に長く突き出ている。
図１５（ｂ）は、背面２９５側の斜視図であり、扇状の部分に埋め込まれたボールプランジャ２９１ａ及び２９１ｂのボールが、背面２９５に突出している。ボールプランジャ２９１ａ及び２９１ｂが片板２９１に埋め込まれている様子は図１４に示す通りである。
【００４０】
一方、アーム２４の形状は、図１６（ａ）〜（ｃ）の断面図に示す通りである。
図１６（ａ）（ｂ）（ｃ）はそれぞれ、図１４のＡＡ断面、ＢＢ断面、ＣＣ断面を示す。
図１６（ａ）においては、アーム２４の一端の中央に短い円筒状部材２９７が設けられている。
【００４１】
図１６（ｂ）において、円筒状部材２９０に囲まれた面２９６には、実施形態１の凹み部分１９０の底面１９６と同じように、凹部２９９ａ、２９９ｂ、ストッパー２９８が設けられている。
図１６（ｃ）においては、円筒状部材２９０の上に、穴の開いた円盤状部材２８９が被さっている。
【００４２】
図１７（ａ）〜（ｃ）は、片板２９１とアーム２４との位置関係を示す図である。
図１７（ａ）は、位置関係が図２（ａ）及び（ｂ）のときの状態を示す。
図１７（ａ）に示すように、ストッパー２９８は、その片側側面が、片板２９１の扇状の部分の一辺を含む面と接しており、片板２９１が時計回りに回転するのを止めている。
このとき凹部２９９ｂとボールプランジャ２９１ｂの位置が合い、ボールプランジャ２９１ｂのボールと凹部２９９ｂとが嵌合している。一方、ボールプランジャ２９１ａのボールは、面２９６と接して、片板２９１に埋没した状態となっている。
【００４３】
図１７（ｂ）は、位置関係が図２（ｃ）及び（ｄ）のときの状態を示す。
このとき、片板２９１は、円筒部分を軸にして、図１７（ａ）の状態から時計回りに回転したところである。ボールプランジャ２９１ｂは、凹部２９９ｂとの嵌合が外れている。
図１７（ｃ）は、位置関係が図２（ｅ）のときの状態を示す
片板２９１が、図１７（ａ）の状態から図１７（ｂ）の状態を通って、反時計回りに１８０度回転したとき、図１７（ｃ）の状態になる。
【００４４】
図１７（ｃ）に示すように、ストッパー２９８の他の片側側面が、片板２９１の扇状の部分の一辺を含む面と接しており、片板２９１が反時計回りに回転するのを止めている。
このとき凹部２９９ａとボールプランジャ２９１ａの位置が合って、ボールプランジャ２９１ａのボールが、凹部２９９ａと嵌合している。
このようにして、実施形態２も、実施形態１と同様に、ストッパー２９８は、片板２９１の回転角を０〜１８０度以内に制限する。また、凹部２９９ａ、ｂ及びボールプランジャ２９１ａ、ｂは、回転角の０度と１８０度のときに、凹部２９９ａとボールプランジャ２９１ａのボールとが、又は凹部２９９ｂとボールプランジャ２９１ｂのボールとが嵌合するような位置にそれぞれ設けられている。この嵌合によって、嵌合した瞬間の振動や音が使用者に伝わり、使用者は、上部筐体１１が、回転しきってこれ以上回転しない位置にあることを感知することができる。
【産業上の利用可能性】
【００４５】
携帯電話機、ＰＤＣ、モバイルコンピュータ等の情報端末に用いることができる。
【図面の簡単な説明】
【００４６】
【図１】実施形態１の携帯電話機の外観図を示す。
【図２】携帯電話機１００を左側面から見た外観図であり、回動の様子を示す。
【図３】上部筐体１１とアーム１３、１４との連結部分１８、１９を概略的に示す分解斜視図である。
【図４】片板１９１の詳細図を示す。
【図５】凹み部分１９０の詳細図を示す。
【図６】連結部分１８、１９と上部筐体１１の断面図を示す。
【図７】連結部分１９を、片板１９１の面１９４側から見た図で、回動時の様子を示す。
【図８】図１（ａ）に対応する携帯電話機１００全体の断面図を示す。
【図９】上部筐体１１と軸部１７との嵌合部分について説明する図である。
【図１０】図９（ｃ）Ａ部の詳細図を示す。
【図１１】図９（ｂ）のＢ部の詳細図を示す。
【図１２】凹み部分１９０の他の構造例を示す。
【図１３】実施形態２の携帯電話機の断面図を示す。
【図１４】図１３のＡ部詳細図を示す。
【図１５】片板２９１の斜視図を示す。
【図１６】アーム２４の断面図に示す。
【図１７】片板１９１とアーム２４との位置関係を示す図である。
【符号の説明】
【００４７】
１１           上部筐体
１２           下部筐体
１３、１４     アーム
１５、１６     ヒンジ
１７           軸部
１８、１９     連結部分
２４           アーム
１００           携帯電話機
１１２           ディスプレイ表示面
１１３１  サブディスプレイ表示面
１１７、１１８   凹部
１１９           穴
１２４           穴
１７１           ボールプランジャ
１７４           穴
１８１           片板
１９０           凹み部分
１９１           片板
１９１ａ、ｂ     ボールプランジャ
１９８           ストッパー
１９９ａ、ｂ     凹部
２８９           円盤状部材
２９０           円筒状部材
２９１           片板
２９１ａ、ｂ     ボールプランジャ
２９７           円筒状部材
２９８           ストッパー
２９９ａ、ｂ     凹部
１１２０           回路基盤
１１２１           接続端子
１１２２           接続端子
１２００           回路基盤
１２０１           接続端子
１２０２           ストッパー
１２０４           円筒状部材
【図１】
2005303926.tif 000003
【図２】
2005303926.tif 000004
【図３】
2005303926.tif 000005
【図４】
2005303926.tif 000006
【図５】
2005303926.tif 000007
【図６】
2005303926.tif 000008
【図７】
2005303926.tif 000009
【図８】
2005303926.tif 000010
【図９】
2005303926.tif 000011
【図１０】
2005303926.tif 000012
【図１１】
2005303926.tif 000013
【図１２】
2005303926.tif 000014
【図１３】
2005303926.tif 000015
【図１４】
2005303926.tif 000016
【図１５】
2005303926.tif 000017
【図１６】
2005303926.tif 000018
【図１７】
2005303926.tif 000019